(57)【要約】【課題】印刷装置の排紙トレイ部分にオフセット機能や、複数の排紙トレイなどの装備を付加するなどのコストを掛けずに、また、ジョブ単位ではなくユーザが連続して印刷した場合を考慮してユーザ単位での回収を容易にできる印刷システムを提供する。【解決手段】複数のユーザから受信したデータを処理する印刷制御装置と、用紙のセット方法として縦置き、横置きの可能な複数の給紙トレイと排紙トレイ1つを有する印刷装置において、印刷しているユーザが切り替わった時点で、使用する用紙を縦横交互にする使用用紙決定手段を備えたことを特徴とする。【選択図】  図１
2010072671.tif 000002
【特許請求の範囲】
【請求項１】
複数のユーザから受信したデータを処理する印刷制御装置と、用紙のセット方法として縦置き、横置きの可能な複数の給紙トレイと排紙トレイ1つを有する印刷装置を含む印刷システムにおいて、
印刷しているユーザが切り替わった時点で、使用する用紙を縦横交互にする使用用紙決定手段を備えたことを特徴とする印刷システム。
【請求項２】
請求項１の印刷システムにおいて、
プリンタドライバに「用紙切れの場合中断する」または「用紙切れでも中断しない」の用紙切れ時の動作設定手段を備えて、印刷中用紙切れが発生したときには、「用紙切れの場合中断する」が指定されているときは、用紙切れエラーを発生させて印刷を中断し、「用紙切れの場合中断しない」が指定されているときは、用紙方向に関係なく、使用する用紙サイズがセットされている給紙トレイから用紙をピックして印刷することを特徴とする印刷システム。
【請求項３】
請求項１の印刷システムにおいて、
プリンタドライバに印刷速度優先設定手段を備えて、「印刷速度優先」が設定されているときは、ユーザ毎に縦横交互に用紙を使用するのではなく、前記印刷装置で高速に印刷可能な用紙方向の用紙を使用することを特徴とする印刷システム。
【発明の詳細な説明】
【技術分野】
【０００１】
本発明は、複数のユーザがネットワークに接続された複数台のホストコンピュータから共有された印刷装置に印刷を行い、複数のジョブを１つの印刷物として印刷を行う印刷システムにおいて、複数のユーザが同一排紙トレイ上に排紙した印刷物を他のユーザとの混在を防ぎ、容易に印刷物の回収を行うための印刷システムに関するものである。
【背景技術】
【０００２】
印刷物の回収を容易にする方法として、ジョブの区切りで用紙を左右にずらして排紙する排紙オフセットがある。
【０００３】
また、印刷に使用する用紙をジョブごとに縦方向の用紙と横方向の用紙を交互にすることで用紙回収を容易にする方法がある。
【０００４】
さらに、複数の排紙トレイを備えることで、ユーザ毎に排紙トレイを指定して印刷する方法などがある。
【０００５】
【特許文献１】特開２００６‐２５６７９２号公報
【特許文献２】特開２００６‐５１６６０号公報
【特許文献３】特開２００２‐１５４７３０号公報
【発明の開示】
【発明が解決しようとする課題】
【０００６】
本発明が解決しようとする課題は、印刷装置の排紙トレイ部分にオフセット機能や、複数の排紙トレイなどの装備を付加するなどのコストを掛けずに、また、ジョブ単位ではなくユーザが連続して印刷した場合を考慮してユーザ単位での回収を容易にできる印刷システムを提供することにある。
【課題を解決するための手段】
【０００７】
前記課題を解決するため、本発明の第１の手段は、複数のユーザから受信したデータを処理する印刷制御装置と、用紙のセット方法として縦置き（ＬＥＦ＝Ｌｏｎｇ  Ｅｄｇｅ  Ｆｅｅｄ）、横置き（ＳＥＦ＝Ｓｈｏｒｔ  Ｅｄｇｅ  Ｆｅｅｄ）の可能な複数の給紙トレイと排紙トレイ１つを有する印刷装置において、印刷しているユーザが切り替わった時点で、使用する用紙を縦横交互にする使用用紙決定手段を備えたことを特徴とするものである。
【０００８】
本発明の第２の手段は前記第１の手段において、プリンタドライバに「用紙切れの場合中断する」または「用紙切れでも中断しない」の用紙切れ時の動作設定手段を備えて、印刷中用紙切れが発生したときには、「用紙切れの場合中断する」が指定されているときは、用紙切れエラーを発生させて印刷を中断し、「用紙切れの場合中断しない」が指定されているときは、用紙方向に関係なく、使用する用紙サイズがセットされている給紙トレイから用紙をピックして印刷することを特徴とするものである。
【０００９】
本発明の第３の手段は前記第１の手段において、プリンタドライバに印刷速度優先設定手段を備えて、「印刷速度優先」が設定されているときは、ユーザ毎に縦横交互に用紙を使用するのではなく、印刷装置で高速に印刷可能な用紙方向の用紙を使用することを特徴とするものである。
【発明の効果】
【００１０】
請求項１の印刷システムにおいては、印刷しているユーザが切り替わった時点で、使用する用紙を縦横交互にする使用用紙決定手段を備えたことで、ユーザ毎に排紙された印刷物の回収を容易にすることができる。
【００１１】
請求項２の印刷システムにおいては、プリンタドライバに「用紙切れの場合中断する」または「用紙切れでも中断しない」の用紙切れ時の動作設定手段を備えることで、用紙切れの処理を選択可能とすることができる。
【００１２】
請求項３の印刷システムにおいては、プリンタドライバに「印刷速度優先」設定手段を備えることで、印刷速度を優先させて印刷を行うことができる。
【発明を実施するための最良の形態】
【００１３】
以下、本発明の実施例につき、図面を参照して説明する。
【実施例１】
【００１４】
図１は、本発明の実施例に係る印刷システムの構成図である。
【００１５】
ホストコンピュータ１１００のプリンタドライバ１１１０ではユーザ名付加手段１１１１、用紙切れ時の動作設定手段１１１２、印刷優先動作設定手段１１１３を有する。印刷装置１２００ではジョブ受付け手段１２１０、ユーザ名記憶手段１２２０、使用用紙決定手段１２３０、使用用紙方向保存手段１２４０、１つの排紙トレイ１２５０、複数の給紙トレイ１２６０を有する。
【００１６】
プリンタドライバ１１１０のユーザ名付加手段１１１１ではユーザが印刷指示時、印刷ジョブに印刷指示したユーザ名を付加する。
【００１７】
用紙切れ時の動作設定手段１１１２では、用紙切れが発生したときの動作設定として「用紙切れの場合中断する」または「用紙切れでも中断しない」を設定して設定内容をジョブに付加する。使用する用紙をユーザ毎に縦横交互にすることで、同じサイズおよび方向の用紙がセットされていなければ用紙切れとなる。ユーザによっては用紙方向より印刷物を早く入手したい場合がある。そのため用紙切れ時の動作設定手段を備えた。「用紙切れの場合中断する」が設定された場合には、ユーザ毎の縦横交互に用紙を使用する方法を優先し、同じサイズおよび方向の用紙がすべての給紙トレイにセットされていなければ用紙切れとし、「用紙切れでも中断しない」が設定された場合には、用紙方向に関係なく、同じサイズの用紙がセットされている給紙トレイが在ればその用紙を使用して印刷を続行する。図５はプリンタドライバ１１１０での用紙切れ時の動作設定手段の画面表示例である。
「印刷速度優先」設定手段１１１３では「印刷速度優先」で印刷するかを設定して設定内容をジョブに付加する。印刷装置には用紙方向によって印刷速度が変化する。そのため「印刷速度優先」設定を備えた。「印刷速度優先」が設定されていない場合は、ユーザ毎の縦横交互に用紙を使用する方法で印刷し、「印刷速度優先」が設定されている場合は、ユーザ毎の縦横交互に用紙を使用する方法は使用せず、印刷装置で高速に印刷可能な用紙方向の用紙を使用する。
【００１８】
図６は、プリンタドライバ１１１０での印刷速度優先設定手段の画面表示例である。ジョブ受付け手段１２１０では、ホストコンピュータ１１００からの印刷を受付ける。ユーザ名保存手段１２２０では、印刷指示したユーザ名を記憶する。使用用紙決定手段１２３０では、使用する用紙を縦方向の用紙にするか横方向の用紙にするかを決定する。使用用紙方向保存手段１２４０では、使用した用紙方向を保存する。
【００１９】
印刷装置の流れを図２を用いて説明する。
【００２０】
ジョブ受付手段にてジョブを受付ける（Ｓ２０１０）。ユーザ名保存手段に保存されているユーザ名とプリンタドライバによって付加されたジョブに保存されているユーザ名を比較し（Ｓ２０２０）、ユーザ名が同じ場合（Ｓ２０３０）は、使用用紙方向保存手段に保存されている用紙方向の用紙を使用して印刷を行う（Ｓ２０４０）。ユーザ名が異なる場合は、使用用紙方向保存手段に保存されている用紙方向を参照し、保存されている用紙方向が縦方向の用紙であれば横方向の用紙を使用する。保存されている用紙方向が横方向の用紙であれば縦方向の用紙を使用する（Ｓ２０５０）。使用する用紙方向は、使用用紙方向保存手段に上書き保存する（Ｓ２０６０）。また、ジョブに付加されているユーザ名をユーザ名保存手段に保存されているユーザ名に上書きして保存する（Ｓ２０７０）。
印刷装置で排紙トレイに排紙された用紙を図７に示す。
【実施例２】
【００２１】
実施例２で使用する用紙を決定する流れを図３を用いて説明する。
【００２２】
使用用紙方向保存手段に保存されている用紙方向の用紙がセットされている給紙トレイ情報を取得する（Ｓ３０１０）。取得した情報から用紙がセットされているかを判断（Ｓ３０２０）し、用紙がセットされている場合は用紙がセットされている給紙トレイから用紙をピックして印刷を行う（Ｓ３０３０）。給紙トレイに用紙がセットされていない場合は、ジョブに付加されている用紙切れ時の動作設定が「用紙切れの場合中断する」のときは、用紙切れエラーを発生させて用紙がセットされるまで印刷を中断する。ジョブに付加されている用紙切れ時の動作設定が「用紙切れでも中断しない」のときは、使用用紙方向保存手段に保存されている用紙方向に関係なく、使用する用紙サイズがセットされている給紙トレイから用紙をピックして印刷する。すべての給紙トレイに使用する用紙サイズがセットされていない場合は用紙がセットされるまで印刷を中断する（Ｓ３０５０）。
次ページがある場合はこの処理を繰り返す（Ｓ３０４０）。
【実施例３】
【００２３】
実施例３で使用する用紙を決定する流れを図４を用いて説明する。
【００２４】
ジョブ受付け手段にてジョブを受付ける（Ｓ４０１０）。ジョブに付加された「印刷速度優先」設定を取得し（Ｓ４０２０）、「印刷速度優先」が設定されている場合（Ｓ４０３０）は、印刷装置で高速に印刷できる用紙方向の用紙を使用して印刷（Ｓ４０５０）し、「印刷速度優先」が設定されていない場合は、ユーザ毎に用紙方向を縦横交互に使用して印刷を行う（Ｓ４０４０）。
【図面の簡単な説明】
【００２５】
【図１】本発明の実施例に係る印刷システムの構成図である。
【図２】本発明の実施例１に係る印刷装置の流れを示すフローチャートである。
【図３】本発明の実施例２で使用する用紙を決定する流れを示すフローチャートである。
【図４】本発明の実施例３で使用する用紙を決定する流れを示すフローチャートである。
【図５】プリンタドライバでの用紙切れ時の動作設定手段の画面表示例を示す図である。
【図６】プリンタドライバでの印刷速度優先設定手段の画面表示例を示す図である。
【図７】排紙トレイに排紙された用紙を示す図である。
【符号の説明】
【００２６】
１１００：ホストコンピュータ、１１１０：プリンタドライバ、１１１１：ユーザ名付加手段、１１１２：動作設定手段、１１１３：印刷優先動作設定手段、１２００：印刷装置、１２１０：ジョブ受付け手段、１２２０：ユーザ名記憶手段、１２３０：使用用紙決定手段、１２４０：使用用紙方向保存手段、１２５０：排紙トレイ、１２６０：給紙トレイ。
【図１】
2010072671.tif 000003
【図２】
2010072671.tif 000004
【図３】
2010072671.tif 000005
【図４】
2010072671.tif 000006
【図５】
2010072671.tif 000007
【図６】
2010072671.tif 000008
【図７】
2010072671.tif 000009